(57)【要約】【課題】虫を効率良く捕捉し、殺虫することができる使いやすい簡素な虫取り器を提供する。【解決手段】本考案の第１実施例の虫取り器１は、中空部を有し、伸縮自在の柄部２と、柄部２の先端に着脱自在に設けられる開放部３を備えた容器体４とを備えている。そして、柄部２と容器体４とは内部が連通状態に組み立てられ、柄部２、及び／又は、容器体４には、殺虫剤の噴射ノズル５を挿入するため、外部から内部に貫通する挿入孔６が形成されている。容器体４は透明樹脂で形成され、半球状容器型に形成されている。前記容器体４の開放部３に網目状粘着シート７が展帳自在に設けられ、網目状粘着シート７を開放部３近傍で固定するためリング状のゴム製固定枠８が着脱自在に設けられる。前記柄部２の先端には、雄ネジが刻設され、容器体４の底部に貫通孔９が穿設され、貫通孔９の内壁に雌ネジが刻設され、柄部２の先端と容器体４の底部とが螺着自在に構成されている。【選択図】図１
0003138754.tif 000002
【実用新案登録請求の範囲】
【請求項１】
中空部を有し、伸縮自在の柄部と、前記柄部の先端に着脱自在に設けられる開放部を備えた容器体とを備え、前記柄部と容器体とは内部が連通状態に組み立てられ、前記柄部、及び／又は、前記容器体には、殺虫剤の噴射ノズルを挿入するため、外部から内部に貫通する挿入孔が形成されていることを特徴とする虫取り器。
【請求項２】
前記容器体の底部に前記柄部の先端が螺着自在に設けられることを特徴とする請求項１記載の虫取り器。
【請求項３】
前記容器体は透明樹脂で形成されていることを特徴とする請求項１又は２記載の虫取り器。
【請求項４】
前記容器体の開放部に展帳自在に設けられる網目状粘着シートと、前記網目状粘着シートを前記開放部近傍で固定する着脱自在の固定枠とを備えたことを特徴とする請求項１乃至３のうちいずれか一に記載の虫取り器。
【請求項５】
前記固定枠はゴム製であることを特徴とする請求項１乃至４のうちいずれか一に記載の虫取り器。
【請求項６】
前記容器体は、半球状容器型に形成されていることを特徴とする請求項１乃至５のうちいずれか一に記載の虫取り器。
【請求項７】
前記容器体は、４側壁と後壁からなり、前方に開放された箱体状に形成されていることを特徴とする請求項１乃至５のうちいずれか一に記載の虫取り器。
【請求項８】
前記容器体は、３側壁と後壁からなり、前方と一側方に開放された箱体状に形成されていることを特徴とする請求項１乃至５のうちいずれか一に記載の虫取り器。
【考案の詳細な説明】
【技術分野】
【０００１】
本考案は、ハエや、ゴキブリ等の虫を効率良く捕捉し、殺虫することができる使いやすい簡素な虫取り器に関する。
【背景技術】
【０００２】
従来のハエや、ゴキブリ等の虫取り器は、虫を叩いて殺すものや、粘着剤で捕捉するものがあったが、虫を叩いて殺すものは、利用者によっては殺虫効率が悪く、又、安全性や衛生上も好ましくないという問題がある。又、粘着剤で捕捉するものは、虫を発見した時に直接虫を粘着剤で捕捉するものや、時間をかけて虫の到来を待ち、又は、虫を誘導し、粘着剤で捕捉する据え置き型のものがあるが、直接虫を粘着剤で捕捉するものは、粘着剤が虫以外のものに付着して使いづらいものや、粘着剤で周辺を汚す等の問題があり、据え置き型のものは、虫を見つけた時にすぐ利用できない等の問題があった。
【０００３】
尚、この種の先行文献としては、例えば特許文献１がある。特許文献１は、虫を取る部分と、柄からなる虫取り器の虫を取る部分に、両面に粘着部を有するシートを設けた虫取り器が記載されている。
【特許文献１】実開平７−３４６７７号公報
【考案の開示】
【考案が解決しようとする課題】
【０００４】
前述したように、従来の虫取り器は、（１）利用者によっては殺虫効率が悪い、（２）安全性や衛生上も好ましくない、（３）粘着剤が虫以外のものに付着して使いづらい、（４）粘着剤で周辺を汚す虞がある、（５）虫を見つけた時にすぐ利用できない等の問題があった。
又、特許文献１も（１）粘着剤が虫以外のものに付着して使いづらい、（２）粘着剤で周辺を汚す等の虞がある。
【０００５】
以上の現状に鑑み、本考案は、虫を効率良く捕捉し、殺虫することができる使いやすい簡素な虫取り器を提供することを目的とする。
【課題を解決するための手段】
【０００６】
上記の課題を解決すべく、本考案は以下の構成を提供する。
請求項１に係る考案は、中空部を有し、伸縮自在の柄部と、前記柄部の先端に着脱自在に設けられる開放部を備えた容器体とを備え、前記柄部と容器体とは内部が連通状態に組み立てられ、前記柄部、及び／又は、前記容器体には、殺虫剤の噴射ノズルを挿入するため、外部から内部に貫通する挿入孔が形成されていることを特徴とする虫取り器を提供するものである。
【０００７】
請求項２に係る考案は、前記容器体の底部に前記柄部の先端が螺着自在に設けられることを特徴とする請求項１記載の虫取り器を提供するものである。
【０００８】
請求項３に係る考案は、前記容器体は透明樹脂で形成されていることを特徴とする請求項１又は２記載の虫取り器を提供するものである。
【０００９】
請求項４に係る考案は、前記容器体の開放部に展帳自在に設けられる網目状粘着シートと、前記網目状粘着シートを前記開放部近傍で固定する着脱自在の固定枠とを備えたことを特徴とする請求項１乃至３のうちいずれか一に記載の虫取り器を提供するものである。
【００１０】
請求項５に係る考案は、前記固定枠はゴム製であることを特徴とする請求項１乃至４のうちいずれか一に記載の虫取り器を提供するものである。
【００１１】
請求項６に係る考案は、前記容器体は、半球状容器型に形成されていることを特徴とする請求項１乃至５のうちいずれか一に記載の虫取り器を提供するものである。
【００１２】
請求項７に係る考案は、前記容器体は、４側壁と後壁からなり、前方に開放された箱体状に形成されていることを特徴とする請求項１乃至５のうちいずれか一に記載の虫取り器を提供するものである。
【００１３】
請求項８に係る考案は、前記容器体は、３側壁と後壁からなり、前方と一側方に開放された箱体状に形成されていることを特徴とする請求項１乃至５のうちいずれか一に記載の虫取り器を提供するものである。
【考案の効果】
【００１４】
本考案の請求項１記載の考案によれば、虫を効率良く捕捉し、殺虫することができる使いやすい簡素な虫取り器を提供することができる。又、挿入孔から噴射ノズルを挿入して殺虫剤を虫取り器内部に噴射するので、殺虫剤が外部に飛散せず、殺虫剤による汚染を防止することができる。
【００１５】
請求項２記載の考案によれば、請求項１記載の考案の効果に加え、螺着により、確実な固定ができると共に、取外しも容易である。
【００１６】
請求項３記載の考案によれば、請求項１又は２記載の考案の効果に加え、透明樹脂で形成されていることにより、虫の捕捉状態や殺虫状態を外部から観察できる。
【００１７】
請求項４記載の考案によれば、請求項１乃至３のうちいずれか一に記載の考案の効果に加え、網目状粘着シートにより、虫を粘着力により捕捉できると共に、殺虫剤が網目状粘着シートを通過することにより、網目状粘着シートに捕捉された虫の殺虫も容易である。又、虫を網目状粘着シートにより捕捉できなかった場合も網目状粘着シートの網目を介して虫を容器体内に追い込んで捕捉し、殺虫することができる。
【００１８】
請求項５記載の考案によれば、請求項１乃至４のうちいずれか一に記載の考案の効果に加え、固定枠がゴム製であることにより、虫取り時に利用者への衝撃が緩和されると共に、周辺を損傷することもなく、又、騒音を発生させることもない。
【００１９】
請求項６記載の考案によれば、請求項１乃至５のうちいずれか一に記載の考案の効果に加え、容器体は半球状容器型に形成されているので、場所に限定されることなく、種々の場所で汎用的に利用できると共に、外観上のデザインとしても好ましいものである。
【００２０】
請求項７記載の考案によれば、請求項１乃至５のうちいずれか一に記載の考案の効果に加え、容器体は、４側壁と後壁からなり、前方に開放された箱体状に形成されているので、壁際や、部屋の隅部等で利用しやすい利点がある。
【００２１】
請求項８記載の考案によれば、請求項１乃至５のうちいずれか一に記載の考案の効果に加え、容器体は、３側壁と後壁からなり、前方と一側方に開放された箱体状に形成されているので、壁際や、部屋の隅部等での使用に限定して効果的に使用できる。
【考案を実施するための最良の形態】
【００２２】
以下、実施例を示した図面を参照しつつ本考案の実施の形態を説明する。
図１に於いて、１は本考案の第１実施例の虫取り器であり、虫取り器１は、中空部を有し、伸縮自在の柄部２と、柄部２の先端に着脱自在に設けられる開放部３を備えた容器体４とを備え、前記柄部２と容器体４とは内部が連通状態に組み立てられる。
前記柄部２は、相互に摺動自在の三重管からなり、所定長さに伸縮した柄部２を所定長さ位置に固定するため、図示は省略するが、例えば、付勢されたピンが内管側から突設して、外管に開穿された孔に貫入する公知のストッパーを備えている。
そして、前記柄部２、及び／又は、容器体４には、殺虫剤の噴射ノズル５を挿入するため、外部から内部空間に貫通する挿入孔６が形成されている。
【００２３】
容器体４は透明樹脂で形成され、半球状容器型に形成されている。
そして、容器体４の開放部３に網目状粘着シート７が展帳自在に設けられ、網目状粘着シート７を開放部３近傍で固定するためリング状のゴム製固定枠８が着脱自在に設けられている。
網目状粘着シート７を固定するための固定枠８の容器体４への着脱方式としては、種々の方式が考えられるが、例えば、次のような方式にすることができる。
（１）固定枠８に、容器体４の開放部３側に突設する複数の係止部を設け、容器体４の開放部３側に前記係止部を係合させるための凹部状の複数の係合部を設ける方式。
（２）容器体４の開放部３側に複数の突設部を設け、固定枠８に前記突設部を圧接状態で貫通させる複数の孔、或いは、前記突設部を圧挿させる複数の穴を設ける方式。
（３）固定枠８の容器体４の開放部３側に接する面に粘着面を設ける方式。
（４）容器体４の開放部３側の周端面に金属板を固着し、固定枠８を磁力付きゴム体とする方式。或いは、容器体４の開放部３側の周端面に磁石を固着し、固定枠８の開放部３側に金属板を設ける方式。
【００２４】
前記柄部２の先端には、図１（ｂ）に示す如く、雄ネジ２ａが刻設され、前記容器体４の底部に貫通孔９が穿設され、貫通孔９の内壁に雌ネジ９ａが刻設され、柄部２の先端と容器体４の底部とが螺着自在に構成されている。
【００２５】
而して、前記虫取り器１を使用する場合は、柄部２の先端に容器体４を螺着し、容器体４の開放部３に網目状粘着シート７を展帳し、前記固定枠８で網目状粘着シート７を開放部３近傍で固定する。網目状粘着シート７は、開放部の寸法に合わせて予めカットされたものを用いるが、予めカットされていない場合は、前記固定枠８で固定した後にカットしても良い。
【００２６】
そして、図２に示す如く、柄部２を所望の所定長さに伸張して固定し、柄部２を把持して、容器体４の開放部３側を虫に向けて、虫に容器体４を被せるようにして虫を捕捉する。
【００２７】
虫は、網目状粘着シート７に粘着して捕捉されるか、網目状粘着シート７の網目を通り抜け、容器体４内部に捕捉されが、その様子は透明の容器体４を通して外部から確認することができる。
【００２８】
そこで、殺虫剤の噴射ノズル５をいずれかの挿入孔６から挿入して、殺虫剤を噴射すると、殺虫剤は容器体４内に入り、容器体４内部に捕捉された虫や、網目状粘着シート７に粘着して捕捉された虫は、殺虫剤によって死滅する。その様子も透明の容器体４を通して確認することができる。
【００２９】
虫が死滅したら、虫を排出する。又は、固定枠８を外し、網目状粘着シート７と共に、虫を廃棄する。
前記虫取り器１を収納する場合は、柄部２を縮小するか、或いは、更に、柄部２を容器体４から取外して収納する。
【００３０】
尚、前記虫取り器１は、網目状粘着シート７を展帳しない状態で使用することも可能である。その場合も、固定枠８は容器体４に取付け、使用時の固定枠８の衝撃緩衝効果を利用することが望ましいが、固定枠８を取り付けないで使用することも可能である。
前記虫取り器１に、網目状粘着シート７を展帳しない状態で使用する場合は、柄部２の先端に容器体４を螺着し、柄部２を所望の所定長さに伸張して固定し、柄部２を把持して、容器体４の開放部３側を虫に向けて、虫に容器体４を被せるようにして虫を捕捉する。
【００３１】
虫は、容器体４内部に捕捉されが、その様子は透明の容器体４を通して外部から確認することができる。
【００３２】
そこで、殺虫剤の噴射ノズル５をいずれかの挿入孔６から挿入して、殺虫剤を噴射すると、殺虫剤は容器体４内に入り、容器体内部に捕捉された虫は、殺虫剤によって死滅する。その様子も透明の容器体４を通して確認することができる。虫が死滅したら、虫を排出する。
【００３３】
図３（ａ）に於いて、２１は本考案の第２実施例の虫取り器であり、虫取り器２１は、第１実施例の前記虫取り器（図１に於いて１）に於いて、容器体（図１に於いて４）と網目状粘着シート（図１に於いて７）と固定枠（図１に於いて８）とに代えて、４側壁と後壁からなり、前方に開放された前方開放部２２を有する箱体状に形成されている透明樹脂からなる容器体２３を備えたものである。
前記虫取り器２１を使用する場合は、前記虫取り器（図１に於いて１）に於ける網目状粘着シート（図１に於いて７）を展帳しない状態で使用する場合と同様に使用すれば良い。
この場合、前記虫取り器２１は、容器体２３の形状の特徴から、特に、壁際や、部屋の隅部で使用すると効果的である。
【００３４】
又、前記虫取り器２１は、第１実施例の前記虫取り器の容器体（図１に於いて４）と同様に、図３（ｂ）に示す如く、容器体２３の前方開放部２２に網目状粘着シート２４を展帳し、網目状粘着シート２４を固定枠２５を固定するように構成しても良い。
網目状粘着シート２４と、その固定枠２５とを取付けた虫取り器２１を使用する場合は、網目状粘着シート（図１に於いて７）と固定枠（図１に於いて８）とを取付けた第１実施例の前記虫取り器（図１に於いて１）と同様に使用できるが、この場合も、容器体２３の形状の特徴から、特に、壁際や、部屋の隅部で使用すると効果的である。
【００３５】
図４（ａ）に於いて、３１は本考案の第３実施例の虫取り器であり、虫取り器３１は、第１実施例の前記虫取り器（図１に於いて１）に於いて、容器体（図１に於いて４）と網目状粘着シート（図１に於いて７）と固定枠（図１に於いて８）とに代えて、３側壁と後壁からなり、前方と一側方に開放された、前方開放部３２と側方開放部３３とを有する箱体状に形成されている透明樹脂からなる容器体３４を備えたものである。
前記虫取り器３１を使用する場合は、前記虫取り器（図１に於いて１）に於ける網目状粘着シート（図１に於いて７）を展帳しない状態で使用する場合と同様に使用するが、前記虫取り器３１は、側方開放部３３を有する容器体３４の形状の特徴から、特に、壁際や、部屋の隅部等での使用に限定して好適に使用できる。
【００３６】
又、前記虫取り器３１は、第１実施例の前記虫取り器の容器体（図１に於いて４）と同様に、図４（ｂ）に示す如く、容器体３４の前方開放部３２に網目状粘着シート３５を展帳し、網目状粘着シート３５を固定枠３６で固定するように構成しても良い。
網目状粘着シート３５と、その固定枠３６を取付けた虫取り器３１を使用する場合は、網目状粘着シート（図１に於いて７）と固定枠（図１に於いて８）とを取付けた第１実施例の前記虫取り器（図１に於いて１）と同様に使用できるが、前記虫取り器３１は、側方開放部３３を有する容器体３４の形状の特徴から、特に、壁際や、部屋の隅部での使用に好適であり、逆に、壁際や、部屋の隅部等での使用に限定して好適に使用できる。
【００３７】
又、前記虫取り器３１は、第１実施例の前記虫取り器の容器体（図１に於いて４）と同様に、図４（ｃ）に示す如く、容器体３４の前方開放部３２と、側方開放部３３とに前方開放部３２と、側方開放部３３とを覆う網目状粘着シート３７を展帳し、網目状粘着シート３７を固定枠３８で固定するように構成しても良い。
尚、網目状粘着シート３７と固定枠３８は、前方開放部３２用と、側方開放部３３用に分割されたものを合わせて用いても良い。
網目状粘着シート３７と、その固定枠３８を取付けた虫取り器３１を使用する場合は、網目状粘着シート（図１に於いて７）と固定枠（図１に於いて８）とを取付けた第１実施例の前記虫取り器（図１に於いて１）と同様に使用できるが、前記虫取り器３１は、側方開放部３３を有する容器体３４の形状の特徴から、特に、壁際や、部屋の隅部での使用に好適であり、逆に、壁際や、部屋の隅部等での使用に限定して好適に使用できる。
【図面の簡単な説明】
【００３８】
【図１】（ａ）本考案による第１実施例の虫取り器の斜視図である。（ｂ）本考案による第１実施例の虫取り器の柄部を容器体に取付ける状態を説明する斜視図である。
【図２】本考案による第１実施例の虫取り器の柄部を伸ばす状態を示す斜視図である。
【図３】本考案による第２実施例の虫取り器の柄部を容器体に取付ける状態を示す斜視図である。（ｂ）本考案による第２実施例の虫取り器の容器体の開放部に網目状粘着シートを展帳し、固定枠で固定した状態を示す斜視図である。
【図４】本考案による第３実施例の虫取り器の柄部を容器体に取付ける状態を示す斜視図である。（ｂ）本考案による第３実施例の虫取り器の容器体の前方開放部に網目状粘着シートを展帳し、固定枠で固定した状態を示す斜視図である。（ｃ）本考案による第３実施例の虫取り器の容器体の前方開放部及び側方開放部に網目状粘着シートを展帳し、固定枠で固定した状態を示す斜視図である。
【符号の説明】
【００３９】
１，２１，３１  虫取り器
２  柄部
３  開放部
４，２３，３４  容器体
５  噴射ノズル
６  挿入孔
７，２４，３５，３７  網目状粘着シート
８，２５，３６，３８  固定枠
９  貫通孔
【図１】
0003138754.tif 000003
【図２】
0003138754.tif 000004
【図３】
0003138754.tif 000005
【図４】
0003138754.tif 000006